【手続補正書】
【提出日】平成23年10月13日(2011.10.13)
【手続補正１】
【補正対象書類名】特許請求の範囲
【補正対象項目名】全文
【補正方法】変更
【補正の内容】
【特許請求の範囲】
【請求項１】
無線パケットの送信および受信を行う無線通信部と、
上記無線通信部で送信される無線パケットを生成するパケット生成部と、
上記無線通信部および上記パケット生成部を制御する制御部を備え、
上記無線通信部は、第１の情報送信装置から、非送信区間を間に挟んで順次送られてくる、自身から上記第１の情報送信装置への送信に割り当てられていない上記非送信区間を示す時間位置情報を含むデータストリーミング伝送用の第１の無線パケットを受信し、
上記パケット生成部は、上記無線通信部で受信された上記第１の無線パケットに含まれている上記時間位置情報が示すと同じ上記非送信区間を示す時間位置情報を含む、上記無線通信部で上記第１の情報送信装置に送信される制御情報送信用の第２の無線パケットを生成する
情報受信装置。
【請求項２】
上記制御部は、自身から上記第１の情報送信装置への送信に割り当てられていない上記非送信区間では、上記無線通信部が受信モードに入るように制御する
請求項１に記載の情報受信装置。
【請求項３】
上記制御部は、上記第１の情報送信装置とは異なる第２の情報送信装置に所定の情報を送信する必要が生じた場合には、
上記パケット生成部が上記所定の情報を含む第３の無線パケットを生成し、上記無線通信部が自身から上記第１の情報送信装置への送信に割り当てられていない上記非送信区間で上記受信モードに入らずに上記パケット生成部で生成された上記第３の無線パケットを上記第２の情報送信装置に送信するように制御する
請求項２に記載の情報受信装置。
【請求項４】
上記パケット生成部で生成される上記第２の無線パケットに含まれる上記時間位置情報は暗号化されていない
請求項１に記載の情報受信装置。
【請求項５】
上記パケット生成部で生成される上記第２の無線パケットに含まれる上記時間位置情報は、少なくとも、上記第１の情報送信装置とは異なる第２の情報送信装置と自身との間で相互に認証された暗号を用いて暗号化されている
請求項１に記載の情報受信装置。
【請求項６】
上記制御部は、自身から上記第１の情報送信装置への送信に割り当てられていない所定の上記非送信区間で、上記無線通信部が上記第１の情報送信装置とは異なる第２の情報送信装置から第３の無線パケットを受信した場合には、
上記パケット生成部が上記第２の情報送信装置からの上記第３の無線パケットの受信結果として必要となった情報を含む第４の無線パケットを生成し、上記無線通信部が上記所定の非送信区間の後に存在する自身から上記第１の情報送信装置への送信に割り当てられていない上記非送信区間で上記パケット生成部により生成された上記第４の無線パケットを上記第２の情報送信装置に送信するように制御する
請求項１に記載の情報受信装置。
【請求項７】
上記制御部は、
上記第２の情報送信装置からの上記第３の無線パケットに該第２の情報送信装置からのデータストリーミング伝送への切り替え通知情報が含まれていた場合には、
上記パケット生成部が上記第１の情報送信装置からのデータストリーミング伝送を中断する要求を含む上記第２の無線パケットを生成し、上記無線通信部が自身から上記第１の情報送信装置への送信に割り当てられている所定の上記非送信区間で上記パケット生成部により生成された上記第２の無線パケットを送信するように制御し、
上記第１の情報送信装置からのデータストリーミング伝送の中断処理が終了した後に、上記パケット生成部が上記第２の情報送信装置からのデータストリーミング伝送の開始許可通知を含む上記第４の無線パケットを生成し、上記無線通信部が上記パケット生成部で生成された上記第４の無線パケットを上記第２の情報送信装置に送信するように制御する
請求項６に記載の情報受信装置。
【請求項８】
上記制御部は、自身から上記第１の情報送信装置への送信に割り当てられていない所定の上記非送信区間で上記無線通信部が上記第１の情報送信装置とは異なる第２の情報送信装置に無線パケットを送信した場合には、
自身から上記第１の情報送信装置への送信に割り当てられていない上記非送信区間では、上記無線通信部が上記第２の情報送信装置からの応答無線パケットを待ち受ける状態となるように制御する
請求項１に記載の情報受信装置。
【請求項９】
上記制御部は、上記無線通信部により自身から上記第１の情報送信装置への送信に割り当てられていない上記非送信区間を用いて無線パケットを送信するとき、ランダムバックオフを用いて送信タイミングを決定する
請求項１に記載の情報受信装置。
【請求項１０】
上記制御部は、バックオフカウンタの単位として、自身から上記第１の情報送信装置への送信に割り当てられていない上記非送信区間の個数を用いる
請求項９に記載の情報受信装置。
【請求項１１】
上記制御部は、上記無線通信部で受信された上記第１の無線パケットに含まれている上記時間位置情報で示される時間位置を起点とし、バックオフカウンタの単位として、特定の時間刻み幅を用いる
請求項９に記載の情報受信装置。
【請求項１２】
無線パケットの送信および受信を行う無線通信部と、
上記無線通信部で送信される無線パケットを生成するパケット生成部と、
上記無線通信部および上記パケット生成部を制御する制御部を備え、
上記制御部は、上記無線通信部で受信された情報受信装置からの無線パケットに含まれている時間位置情報に基づいて、上記無線通信部が上記情報受信装置に送信する無線パケットの送信タイミングを決定する
情報送信装置。
【請求項１３】
上記制御部は、上記無線通信部により上記情報受信装置に上記パケット生成部で生成された無線パケットを送信しない場合には、上記情報受信装置からのパケットに含まれている時間位置情報で示される時間位置を含む所定時間の間は上記無線通信部が受信モードに入るように制御する
請求項１２に記載の情報送信装置。
【請求項１４】
上記制御部は、上記無線通信部が上記情報受信装置からの無線パケットを受信した場合には、
上記パケット生成部が上記情報受信装置からの無線パケットの受信結果として必要な情報を含む無線パケットを生成し、
上記情報受信装置からの無線パケットに含まれている時間位置情報で示される時間位置に対応したタイミングで、上記無線通信部が上記パケット生成部で生成された無線パケットを上記情報受信装置に送信するように制御する
請求項１３に記載の情報送信装置。
【請求項１５】
上記制御部は、上記無線通信部で受信された上記情報受信装置からの無線パケットにデータストリーミング伝送許可通知が含まれている場合には、
上記パケット生成部がデータストリーミング伝送用の無線パケットを生成し、上記無線通信部が上記パケット生成部で生成された無線パケットを上記情報受信装置に順次送信するように制御する
請求項１２に記載の情報送信装置。
【請求項１６】
上記制御部は、上記無線通信部で受信された上記情報受信装置からの無線パケットに含まれている時間位置情報で示される時間位置に対応した区間を用いて無線パケットを送信するとき、ランダムバックオフを用いて送信タイミングを決定する
請求項１２に記載の情報送信装置。
【請求項１７】
上記制御部は、バックオフカウンタの単位として、上記情報受信装置からの無線パケットに含まれている時間位置情報で示される時間位置に対応した区間の個数を用いる
請求項１６に記載の情報送信装置。
【請求項１８】
上記制御部は、上記情報受信装置からの無線パケットに含まれている時間位置情報で示される時間位置を起点とし、バックオフカウンタの単位として、特定の時間刻み幅を用いる
請求項１６に記載の情報送信装置。
【請求項１９】
無線パケットの送信および受信を行う無線通信部と、
上記無線通信部で送信される無線パケットを生成するパケット生成部と、
上記無線通信部および上記パケット生成部を制御する制御部を備え、
上記無線通信部は、データストリーミング伝送用の無線パケットを、非送信区間を間に挟んで情報受信装置に順次送信し、
上記パケット生成部は、上記情報受信装置から自身への送信に割り当てられていない上記非送信区間を示す時間位置情報を含む、上記無線通信部で送信される上記データストリーミング伝送用の無線パケットを生成する
情報送信装置。
【請求項２０】
上記制御部は、上記無線通信部から上記時間位置情報が含まれた上記無線パケットが送信された後に、上記データストリーミング伝送の送るべき情報の量が増加するかあるいは伝送可能なビットレートが減少する場合には、上記情報受信装置から自身への送信に割り当てられていない上記非送信区間の時間位置が変化しないように、上記パケット生成部で生成される上記無線パケットに含める情報を調整する
請求項１９に記載の情報送信装置。
【請求項２１】
上記制御部は、上記無線通信部から上記時間位置情報が含まれた上記無線パケットが送信された後に、上記データストリーミング伝送の送るべき情報の量が減少するかあるいは伝送可能なビットレートが増加する場合には、上記情報受信装置から自身への送信に割り当てられていない上記非送信区間の時間位置が変化しないように、少なくとも、上記パケット生成部で生成される上記無線パケットに含める情報を調整するかあるいは上記無線通信部における上記無線パケットの送信タイミングを調整する
請求項１９に記載の情報送信装置。
【請求項２２】
情報送信装置と情報受信装置を備え、
上記情報送信装置から上記情報受信装置に、データストリーミング伝送用の第１の無線パケットが非送信区間を間に挟んで順次送信され、
上記情報受信装置から上記情報送信装置への送信に割り当てられた第１の上記非送信区間で、上記情報受信装置から上記情報送信装置に、制御情報送信用の第２の無線パケットが送信される情報通信システムであって、
上記情報送信装置は、
無線パケットの送信および受信を行う無線通信部と、
上記無線通信部で送信される無線パケットを生成するパケット生成部と、
上記無線通信部および上記パケット生成部を制御する制御部を有し、
上記パケット生成部は、上記情報受信装置から上記情報送信装置への送信に割り当てられていない第２の上記非送信区間を示す時間位置情報を含む、上記無線通信部で送信される上記第１の無線パケットを生成し、
上記情報受信装置は、
無線パケットの送信および受信を行う無線通信部と、
上記無線通信部で送信される無線パケットを生成するパケット生成部と、
上記無線通信部および上記パケット生成部を制御する制御部を有し、
上記パケット生成部は、上記無線通信部で受信された上記第１の無線パケットに含まれている上記時間位置情報が示すと同じ上記非送信区間を示す時間位置情報を含む、上記無線通信部で送信される上記第２の無線パケットを生成する
情報通信システム。